(57)【要約】【課題】木造建物等のコンクリートの基礎とその上に搭載する木材等の土台とを接続する建物の土台補強構造を、簡易に施工できて十分な強度とすることにある。【解決手段】木造建物等のコンクリートの基礎１の側面と土台２の側面に段差３があっても容易に接合強化できるように、水平状にフック部９を所定長さ突き出した係止具４と、このフック部９を係止するアーム部８を設けた被係止具５とを段差３のある基礎１と土台２のそれぞれの側面に固定して、上記基礎１の側面と土台２の側面に段差３に対応して長くした係止具４のフック部９を被係止具５のアーム部８に係止するようにしたものである。【選択図】　　　　図１
2004131986.tif 000002
【特許請求の範囲】
【請求項１】
木造建物等のコンクリートの基礎とその上に搭載する木材等の土台とを接続する建物の土台補強構造であって、上記基礎の側面と土台の側面に段差があっても容易に接合強化できるように、水平状にフック部を所定長さ突き出した係止具とこのフック部を係止するアーム部を設けた被係止具とを段差のある基礎と土台のそれぞれの側面に固定して、上記基礎の側面と土台の側面に段差に対応して長くした係止具のフック部を被係止具のアーム部に係止するように構成したことを特徴とする建物の土台補強構造。
【請求項２】
被係止具が水平状に両端支持状のアーム部を突き出したものである請求項１に記載の建物の土台補強構造。
【請求項３】
係止具と被係止具を所定の強度構造としたＦＲＰでそれぞれ一体的に成形したものである請求項１または２に記載ノズル本体建物の土台補強構造。
【発明の詳細な説明】
【０００１】
【発明が属する技術分野】
本発明は、建築分野における木造家屋等の建物の土台補強構造に関するものである。
【０００２】
平成７年に阪神大震災が発生してから、ビルディングを始め建築物の基盤や構造等の強化や補強がはかられている。特に、我が国では、個人住宅用として木造建築物が多く利用されており、従来の２階建てから３階建ての高階化の傾向にあり、より強度の強化が必要となり、火打ち金物、かどプレートなど従来よりも強度の強い補強用具が提案されて実施されている。
【０００３】
上記木造建築物に関して、柱や梁等の交叉部や接合部を補強することについて多数の提案が行なわれているが、これらの補強とともに基礎と土台を従来に増して補強することが大切である。
【０００４】
【先行技術文献】
木造建築物の基礎と土台の補強についての先行　技術に関して調査した結果、特開平１０−２２７０３６号公報、特開２００１−５５７９３号公報、特開２０００−２７３９５４号公報、特開２００１−２００５８８号公報などが提案されている。
【０００５】
上記特開平１０−２２７０３６号公報は、建築物の基礎スラブに補強繊維を混入した高強度の補強用コンクリートを利用して補強するものである。また、特開２００１−５５７９３号公報は、基礎のアンカーボルトによる土台の固定とは別に、床や壁を土台補強用金物を用いて土台に固定しようとするものである。
【０００６】
また、特開２０００−２７３９５４号公報は、木造軸組構造建物の通し柱と土台と基礎部を連結板の補強器具を取り付けて補強するものである。さらに、特開２００１−２００５８８号公報は、基礎と土台とをスラブ固定片に土台把持片を弾発付勢された連結部を介して接続固定するものである。
【０００７】
【発明が解決しようとする課題】
このようにいろいろな補強手段が提案されているが、基礎と土台との幅が常に同一とは限らずにこれらの側面に段差が生じる場合が多々あり、このようなときには所定厚さのプレートを添付して段差を調整しているとともに、基礎と土台とを上記したように連結板や連結片でボルト、ナット等を介して接続しているものであった。
【０００８】
そのため、基礎と土台との接続の調整に手間がかかったり、この基礎と土台との接続強度の向上に接続するボルト、ナットが必要で、締めつけの手数が多くなって時間がかかるものであった。
【０００９】
【課題を解決するための手段】
本発明は、上記のような点に鑑みたもので、上記の課題を解決するために、木造建物等のコンクリートの基礎とその上に搭載する木材等の土台とを接続する建物の土台補強構造であって、上記基礎の側面と土台の側面に段差があっても容易に接合強化できるように、水平状にフック部を所定長さ突き出した係止具とこのフック部を係止するアーム部を設けた被係止具とを段差のある基礎と土台のそれぞれの側面に固定して、上記基礎の側面と土台の側面に段差に対応して長くした係止具のフック部を被係止具のアーム部に係止するように構成したことを特徴とする建物の土台補強構造を提供するにある。
【００１０】
【発明の実施の態様】
本発明の建物の土台補強構造は、木造建物等のコンクリートの基礎とその上に搭載する木材等の土台とを接続する建物の土台補強構造であって、上記基礎の側面と土台の側面に段差があっても容易に接合強化できるように、水平状にフック部を所定長さ突き出した係止具とこのフック部を係止するアーム部を設けた被係止具とを段差のある基礎と土台のそれぞれの側面に固定して、上記基礎の側面と土台の側面に段差に対応して長くした係止具のフック部を被係止具のアーム部に係止するように構成したことを特徴としている。
【００１１】
木造建物等の基礎１と土台２は、図１や図２のようにその幅が相違していて、図のように側面に段差３が生じることがある。
【００１２】
このような段差３のある基礎１と土台２には、図１、図２のように係止具４と被係止具５をそれぞれボルトやコーチスクリュー等の固定具６、７で固定し、被係止具５に突き出したアーム部８に係止具４の突き出したフック部９を係合して基礎１に対して土台２の接合強度を簡単に補強できるようにしている。
【００１３】
係止具４、被係止具５は、ＦＲＰやＦＭＰ（ＦＰＭ）、セラミックスやこれらのコンポジット、アルミニウム合金やチタン合金等の軽金属、ステンレス等の鉄鋼材で一体成形することができる。特に、ＦＲＰが軽量で、錆びなくて、温度変化による結露も生じなくて腐食に強く、害虫による影響がなくて好ましい。また、後述するように複雑な形状品の大量生産も可能であって好ましい。
【００１４】
上記ＦＲＰの係止具４としては、長繊維や短繊維のガラス繊維や炭素繊維、アラミド繊維、ケプラー繊維を添加して強化したものが、軽量化効果、剛性、耐衝撃性、振動減衰特性が良くて好ましく使用でき、図１、図２のように内側に補強用リブ１０を適宜に配設して、やや長く垂直状とした係止具本体１１の上端部を水平方向にフック状に折曲するとともに、上記した基礎１と土台２の側面の段差３を十分に調整できる長さに（通常４０〜５０ｍｍ位あれば十分に調節可能）水平状に突き出したフック部９としているものである。なお、フック部９も、内側に補強用リブ１０を適宜に配設している。
【００１５】
また、上記被係止具５も、長繊維や短繊維のガラス繊維や炭素繊維、アラミド繊維、ケプラー繊維を添加して強化したＦＲＰとして軽量化効果、剛性、耐衝撃性、振動減衰特性が良くしたものが使用でき、図１、図２のように内側に補強用リブ１３を適宜に配設し、そのＦＲＰのやや横長とした被係止具本体１４の両側部から両端支持状にやや下方側に向かって所定幅のアーム部８を水平状に突き出し、図１〜図４のように上記した係止具４のフック部９を挿入してその段落部１５を係止するようにしている。
【００１６】
なお、上記のように被係止具５は、Ｕ形状の両端支持状のアーム部８とすることが強度を有効に高められて好ましいが、Ｌ形状の片持支持状にすることもでき、また係止具４を基礎１に固定し被係止具５を土台２に固定することが好ましいが、逆に取り付けるようにするなど本発明の趣旨に基づいて適宜の変形態様が実施可能である。
【００１７】
【実施例】
図１以下は、本発明の実施例を示すものである。木造軸組構造用の基礎１は、コンクリートスラブで所定幅に形成し、その上に搭載する土台２は図１や図２のように基礎１の側面と段差３がついて設置されたものである。
【００１８】
係止具４、被係止具５は、上記したようにＦＲＰで所要の補強用リブ１０、１２を設けるようにして射出成形やプレス成形していて、図１や図２のように土台２の所定位置に被係止具５の被係止具本体１４をコーチスクリューの固定具６で固定し、水平に突き出したアーム部８に係止具４のフック部９を下方から挿入してその段落部１５を係止し、係止具４の垂直状の係止具本体１１を基礎１に埋設したボルトの固定具７にナットを介して締め付けて補強することができる。
【００１９】
このように係止具４のフック部９を４０〜５０ｍｍほどの長さにしておくことによって、上記のようにアーム部８にフック部９を簡単に係止するだけで、基礎１と土台２との段差３を十分に吸収できて基礎１と土台２とを結合して補強することができる。
【００２０】
また、上記補強用の係止具、被係止具は、ＦＲＰで成形しているため、鉄鋼材に比して４分の１以上の軽量化がはかれ、これを基礎面部位に位置していても、温度変化による結露が生じにくくて、錆びずに安定した強度を保有できるものである。また、材料のリサイクル化も可能である。
【００２１】
なお、実施例では、基礎と土台の一側面側の取り付けについて説明したが、その反対の側面側の適宜の位置にも取り付けることができ、建物の中心部に対して前後方向や左右方向等に適宜に施工することによって、上下の振動のみならず、前後や左右の振動に対してもバランスよく補強することができる。
【００２２】
また、上記では、木造軸組構造の建物について説明したが、プレハブ構造の土台のものについても同様に適用することができる。
【００２３】
またさらに、係止具、被係止具は、上記したようにＦＲＰが好ましいが、アルミニウム合金等の軽量材で代替することもでき、さらにステンレススチール等の鉄鋼材の利用も可能である。
【００２４】
【発明の効果】
以上のように本発明にあっては、木造建物等のコンクリートの基礎とその上に搭載する木材等の土台とを接続する建物の土台補強構造であって、水平状にフック部を所定長さ突き出した係止具とこのフック部を係止するアーム部を設けた被係止具とを段差のある基礎と土台のそれぞれの側面に固定して、上記基礎の側面と土台の側面に段差に対応して長くした係止具のフック部を被係止具のアーム部に係止するので、基礎の側面と土台の側面に段差があっても、係止具のフック部を被係止具のアーム部に係止することによって簡単にその段差を解消できて基礎と土台との接合強度を高めることができ、耐震強度の強い建物とすることができる。
【００２５】
また、被係止具に水平状に両端支持状のアーム部を突き出すことによって、基礎と土台との接合強度をより高めることができる。
【００２６】
特に、係止具と被係止具を所定の強度構造としたＦＲＰでそれぞれ一体成形することによって、軽量で、錆びなくて、温度変化による結露も生じなくて腐食に強く、害虫による影響がなく、さらに複雑な形状品の大量生産も可能である。
【図面の簡単な説明】
【図１】本発明の一実施例の側断面図、
【図２】同上の他の使用例の側断面図、
【図３】同上の係止具、被係止具の係合説明用正面図、
【図４】同上の係合説明用平面図、
【図５】同上の被係止具部の側断面図（ａ）、（ｂ）と背面図（ｃ）。
【符号の説明】
１…基礎　　　　２…土台　　　　　３…段差　　　　　４…係止具
５…被係止具　　８…アーム部　　　９…フック部
【図１】
2004131986.tif 000003
【図２】
2004131986.tif 000004
【図３】
2004131986.tif 000005
【図４】
2004131986.tif 000006
【図５】
2004131986.tif 000007